(57)【要約】【課題】所望の原稿画像を着実に送信することができる画像通信装置、および通信システムを提供する。【解決手段】本発明の画像通信装置は、携帯端末から原稿画像の送信指示と携帯端末の登録情報とを含む送信情報を受信する送信情報受信部と、送信情報受信部が送信情報を受信した場合に登録情報に対応する原稿または原稿画像を決定する原稿決定部と、原稿決定部の決定に基づいて、原稿の読取画像または原稿画像を送信する原稿送信部とを備える。【選択図】図１
2018107685.tif 000002
【特許請求の範囲】
【請求項１】
携帯端末から原稿画像の送信指示と前記携帯端末の登録情報とを含む送信情報を受信する送信情報受信部と、
前記送信情報受信部が前記送信情報を受信した場合に前記登録情報に対応する原稿または前記原稿画像を決定する原稿決定部と、
前記原稿決定部の決定に基づいて、前記原稿の読取画像または前記原稿画像を送信する原稿送信部と
を備える
画像通信装置。
【請求項２】
前記原稿を読み取って前記原稿画像を生成する読取部と、
前記読取部で生成された前記原稿画像を、少なくとも前記登録情報に対応付けて保存する画像記憶部と
をさらに備える
請求項１に記載の画像通信装置。
【請求項３】
前記原稿決定部は、前記画像記憶部に保存された情報に基づいて、前記登録情報に対応する前記原稿画像を決定する
請求項２に記載の画像通信装置。
【請求項４】
前記送信情報受信部は、前記携帯端末から、前記原稿画像の宛先情報に関連する個人情報をさらに受信し、
前記画像記憶部は、前記読取部で生成された前記原稿画像を、前記宛先情報と前記登録情報と前記個人情報とに対応付けて保存する
請求項２または３に記載の画像通信装置。
【請求項５】
携帯端末と、
画像通信装置と
を含み、
前記画像通信装置は、
前記携帯端末から原稿画像の送信指示と前記携帯端末の登録情報とを含む送信情報を受信する送信情報受信部と、
前記送信情報受信部が前記送信情報を受信した場合に前記登録情報に対応する原稿または前記原稿画像を決定する原稿決定部と、
前記原稿決定部の決定に基づいて、前記原稿の読取画像または前記原稿画像を送信する原稿送信部と
を備える
通信システム。
【請求項６】
前記画像通信装置は、
前記原稿画像の宛先情報の入力を受け付ける宛先入力部と、
前記宛先入力部で前記宛先情報が入力された場合に、前記宛先情報を前記携帯端末へ送信する宛先送信部と
をさらに備え、
前記携帯端末は、
前記宛先情報と前記宛先情報に関連する個人情報とを対応付けて保存する個人情報記憶部と、
前記画像通信装置から前記宛先情報を受信する宛先情報受信部と、
前記宛先情報受信部で受信した前記宛先情報に対応する前記個人情報を前記個人情報記憶部から取得する個人情報取得部と、
前記個人情報取得部で取得された前記個人情報に基づく携帯通信を行う携帯通信部と、
前記携帯通信が行われた後に、前記原稿画像の前記送信指示を前記画像通信装置に送信する送信指示部と
をさらに備える
請求項５に記載の通信システム。
【請求項７】
前記携帯端末は、
前記携帯通信部で携帯通信した後、再通信を行うか否かをユーザに選択させる選択入力部と、
前記再通信を行うことが選択された場合に、前記携帯通信部に前記再通信を実行させる再通信指示部と、
をさらに備え
前記送信指示部は、前記再通信が実行された後に、前記原稿画像の前記送信指示を前記画像通信装置に送信する
請求項６に記載の通信システム。
【発明の詳細な説明】
【技術分野】
【０００１】
本発明は、画像通信装置、および通信システムに関する。
【背景技術】
【０００２】
ファクシミリの誤送信を防止し、目的とする相手にファクシミリ送信する技術として、ファクシミリ手動送信という技術がある。従来の技術では、子機などの携帯端末と相手先装置との間の通話を中継し、画像形成装置で形成された画像データを相手先装置にファクシミリ送信する通信装置、および通信システムが提案されている。
【先行技術文献】
【特許文献】
【０００３】
【特許文献１】特開２０１３−２０７６５８号公報
【発明の概要】
【発明が解決しようとする課題】
【０００４】
しかしながら、従来の技術では相手先装置に電話機が接続されている必要があるということと、たとえ相手先装置に電話機が接続されていたとしても特定の個人を指定して電話をかけることは困難である。
【０００５】
所望の原稿画像を着実に送信することができる画像通信装置、および通信システムを提供することが望ましい。
【課題を解決するための手段】
【０００６】
本発明の一実施の形態に係る画像通信装置は、携帯端末から原稿画像の送信指示と携帯端末の登録情報とを含む送信情報を受信する送信情報受信部と、送信情報受信部が送信情報を受信した場合に登録情報に対応する原稿または原稿画像を決定する原稿決定部と、原稿決定部の決定に基づいて、原稿の読取画像または原稿画像を送信する原稿送信部とを備えたものである。
【０００７】
本発明の一実施の形態に係る通信システムは、携帯端末と、画像通信装置とを含み、画像通信装置が、携帯端末から原稿画像の送信指示と携帯端末の登録情報とを含む送信情報を受信する送信情報受信部と、送信情報受信部が送信情報を受信した場合に登録情報に対応する原稿または原稿画像を決定する原稿決定部と、原稿決定部の決定に基づいて、原稿の読取画像または原稿画像を送信する原稿送信部とを備えたものである。
【発明の効果】
【０００８】
本発明の一実施の形態に係る画像通信装置、または通信システムによれば、携帯端末から原稿画像の送信指示と携帯端末の登録情報とを含む送信情報を受信し、登録情報に対応する原稿または原稿画像を決定し、決定に基づいて、原稿の読取画像または原稿画像を送信するようにしたので、所望の原稿画像を着実に送信することができる。
【図面の簡単な説明】
【０００９】
【図１】本発明の第１の実施の形態に係る情報通信システムの概略を示す構成図である。
【図２】第１の実施の形態における複合機の内部構成の一例を示すブロック図である。
【図３】第１の実施の形態におけるモバイル端末の内部構成の一例を示すブロック図である。
【図４】第１の実施の形態における複合機の処理フローの一例を示す流れ図である。
【図５】図４に続く複合機の処理フローの一例を示す流れ図である。
【図６】図５に続く複合機の処理フローの一例を示す流れ図である。
【図７】第１の実施の形態におけるモバイル端末の処理フローの一例を示す流れ図である。
【図８】図７に続くモバイル端末の処理フローの一例を示す流れ図である。
【図９】図８に続くモバイル端末の処理フローの一例を示す流れ図である。
【図１０】図４のステップＳ１０３の処理に応じて表示される複合機の操作パネルの表示例を示す説明図である。
【図１１】図４のステップＳ１０７の処理に応じて表示される複合機の操作パネルの表示例を示す説明図である。
【図１２】図７のステップＳ３０５の処理に応じて表示されるモバイル端末の操作パネルの表示例を示す説明図である。
【図１３】図８のステップＳ３１１の処理に応じて表示されるモバイル端末の操作パネルの表示例を示す説明図である。
【図１４】図８のステップＳ３１４の処理に応じて表示されるモバイル端末の操作パネルの表示例を示す説明図である。
【図１５】図８のステップＳ３１７の処理に応じて表示されるモバイル端末の操作パネルの表示例を示す説明図である。
【図１６】図９のステップＳ４０１の処理に応じて表示されるモバイル端末の操作パネルの表示例を示す説明図である。
【図１７】図９のステップＳ４０４の処理に応じて表示されるモバイル端末の操作パネルの表示例を示す説明図である。
【図１８】第１の実施の形態における複合機に保存されている短縮ダイヤル一覧の一例を示す説明図である。
【図１９】第１の実施の形態におけるモバイル端末に保存されている電話帳一覧の一例を示す説明図である。
【図２０】第１の実施の形態における複合機に保存される情報の一例を示す説明図である。
【図２１】第１の実施の形態におけるモバイル端末に保存される情報の一例を示す説明図である。
【発明を実施するための形態】
【００１０】
以下、本発明の実施の形態について図面を参照して詳細に説明する。なお、説明は以下の順序で行う。
１．第１の実施の形態
１．１  構成
１．２  動作
１．３  効果
２．他の実施の形態
【００１１】
＜１．第１の実施の形態＞
本実施の形態は、ファクシミリの誤送信を防止し、モバイル端末、およびそのアプリケーションを利用して特定の個人に電話をかけた後に複合機からファクシミリ送信する情報通信システムに関する。
【００１２】
［１．１  構成］
図１は、本発明の第１の実施の形態に係る情報通信システムの概略構成を示している。
【００１３】
本実施の形態に係る情報通信システムは、画像通信装置としての複合機１０と、携帯端末としてのモバイル端末２０と、モバイル端末３０，３１と、ファクシミリ４０および複合機５０と、ファクシミリ通信を行うための通信回線９０とを含んでいる。
【００１４】
複合機１０および複合機５０は、ファクシミリの他、コピー機やプリンタなどの機能を複合化した構成となっている。
【００１５】
なお、本実施の形態では、ファクシミリ４０は電話機付きであり、複合機１０と複合機５０は電話機付きではないものとして説明する。
【００１６】
モバイル端末２０およびモバイル端末３０，３１は、例えばタブレット端末やスマートフォン等の携帯機器である。モバイル端末３０，３１は、モバイル端末２０が電話をかける対象の一例である。
【００１７】
ファクシミリ４０および複合機５０は、複合機１０によるファクシミリ送信の対象の一例である。
【００１８】
図２は、複合機１０の内部構成の一例を示している。
複合機１０は、スキャナ部１１と、印刷部１２と、ファクシミリ通信部１３と、ネットワーク通信部１４と、操作パネル１５と、制御部１６と、データ記憶部１７と、ＮＦＣ通信部１８とを備える。
【００１９】
スキャナ部１１は、ファクシミリ送信の対象となる原稿を読み取って原稿画像を生成する読取部である。ファクシミリ通信部１３は、原稿画像を通信回線９０を介してファクシミリ４０および複合機５０等に送信する原稿送信部である。
【００２０】
なお、複合機１０において、スキャナ部１１で原稿をスキャンした後、ファクシミリ通信部１３によってファクシミリ送信することを「ＳｃａｎＴｏＦａｘ」という。
【００２１】
ネットワーク通信部１４は、モバイル端末２０との間でＬＡＮ（Local Area Network）やインターネット等のネットワーク通信による通信を行うための通信インタフェースである。
【００２２】
ＮＦＣ通信部１８は、モバイル端末２０との間でＮＦＣ（Near Field Communication）通信を行うための通信インタフェースである。
【００２３】
操作パネル１５は、各種情報を表示するタッチパネル状の画面を有している。操作パネル１５は、例えば、後述するステップＳ１０１（図４）の処理に応じた待機画面、後述する図１０に示すようなＳｃａｎＴｏＦａｘ実行画面、後述するステップＳ１０２（図４）の処理に応じた設定画面等を表示する。また、操作パネル１５は、例えば、後述するステップＳ１０３の処理に応じた「宛先情報」の入力画面、後述する図１１に示すようなモバイル手動送信の画面、後述するステップＳ１１７の処理に応じた、ユーザに原稿をセットすることを促す画面等を表示する。
【００２４】
データ記憶部１７は、各種の情報を保存する記録媒体であり、記録媒体の形式は特に限定されない。データ記憶部１７は、後述するステップＳ１１９の処理に応じて図２０に示すように、原稿画像に、「宛先情報」と「端末情報」（例えばＭＡＣアドレス）と「個人情報」とを紐付けた情報を保存する。
【００２５】
制御部１６は、ＣＰＵ（Central Processing Unit）を含んで構成され、複合機１０内の各ブロックの制御を行う。また、制御部１６は、後述する図４〜図６に示す処理フローにおける主要な動作の実行を行う。
【００２６】
また、複合機１０は以下の機能を有している。
【００２７】
ネットワーク通信部１４およびＮＦＣ通信部１８は、後述するステップＳ２０１等の処理に応じて、モバイル端末２０から原稿画像の送信指示（ファクシミリ送信コマンド）とモバイル端末２０の登録情報（例えば端末情報）とを含む送信情報を受信する送信情報受信部としての機能を有している。送信情報受信部は、後述するステップＳ１１４等の処理に応じて、モバイル端末２０から、原稿画像の宛先情報に関連する個人情報を受信する機能を有している。
【００２８】
制御部１６は、後述するステップＳ２０２等の処理に応じて、送信情報受信部が送信情報を受信した場合に登録情報に対応する原稿または原稿画像を決定する原稿決定部７１としての機能を有している。
【００２９】
また、制御部１６およびファクシミリ通信部１３は、後述するステップＳ２０２等の処理に応じて、原稿決定部７１の決定に基づいて、原稿の読取画像または原稿画像を送信する原稿送信部としての機能を有している。原稿決定部７１は、後述するステップＳ２０２等の処理に応じて、画像記憶部７２に保存された情報に基づいて、登録情報に対応する原稿または原稿画像を決定する機能を有している。画像記憶部７２に保存された情報は、例えば後述する図２０に示すような情報であってもよい。
【００３０】
データ記憶部１７は、スキャナ部１１で生成された原稿画像を、後述するステップＳ１１９等の処理に応じて、少なくとも登録情報に対応付けて保存する画像記憶部７２としての機能を有している。画像記憶部７２は、スキャナ部１１で生成された原稿画像を、後述するステップＳ１１９等の処理に応じて、宛先情報と登録情報と個人情報とに対応付けて保存する。
【００３１】
操作パネル１５は、後述するステップＳ１０３等の処理に応じて、図１０に示したように原稿画像の宛先情報の入力を受け付ける宛先入力部７１としての機能を有している。
【００３２】
ＮＦＣ通信部１８は、後述するステップＳ１０３等の処理に応じて、宛先入力部７１で宛先情報が入力された場合に、後述するステップＳ１０５等の処理に応じて、宛先情報をモバイル端末２０へ送信する宛先送信部としての機能を有している。
【００３３】
図３は、モバイル端末２０の内部構成の一例を示している。
モバイル端末２０は、マイク２１と、スピーカー２２と、アプリケーション２３と、ネットワーク通信部２４と、操作パネル２５と、制御部２６と、データ記憶部２７と、ＮＦＣ通信部２８と、携帯通信部２９とを備える。
【００３４】
制御部２６は、ＣＰＵを含んで構成され、複合機１０内の各ブロックの制御を行う。アプリケーション２３は、後述する図７〜図９に示す処理フローにおける主要な動作の実行を行う。
【００３５】
ネットワーク通信部２４は、複合機１０との間でＬＡＮやインターネット等のネットワーク通信による通信を行うための通信インタフェースである。
【００３６】
ＮＦＣ通信部２８は、複合機１０との間でＮＦＣ通信を行うための通信インタフェースである。
【００３７】
携帯通信部２９は、他のモバイル端末３０，３１とのモバイル通信（携帯通信）を行うための通信インタフェースである。また、携帯通信部２９は、電話による通話を行う機能を有し、他のモバイル端末３０，３１とファクシミリ４０に付属の電話機との間で通話を行うことが可能となっている。
【００３８】
操作パネル２５は、各種情報を表示するタッチパネル状の画面を有している。操作パネル２５は、後述する図１２に示すような電話番号のリスト、後述する図１３に示すような通話終了後画面等を表示する。通話終了後画面には、「送信保留」ボタン６１と「キャンセル」ボタン６２とが含まれている。
【００３９】
また、操作パネル２５は、後述する図１４に示すような送信保留画面、後述する図１５に示すようなリダイヤル通知の設定画面、後述する図１６に示すようなリダイヤル通知画面、後述する図１７に示すようなリダイヤル終了画面等を表示する。リダイヤル通知画面には、「リダイヤル」ボタン６３と「後で通知」ボタン６４とが含まれている。リダイヤル終了画面には、「ファクシミリ送信」ボタン６５と、「原稿破棄」ボタン６６と、「後で通知」ボタン６７とが含まれている。
【００４０】
データ記憶部２７は、各種の情報を保存する記録媒体であり、記録媒体の形式は特に限定されない。
【００４１】
また、モバイル端末２０は以下の機能を有している。
【００４２】
データ記憶部２７は、後述する図１９に示すように宛先情報と宛先情報に関連する個人情報とを対応付けて保存する個人情報記憶部８２としての機能を有している。
【００４３】
ＮＦＣ通信部２８は、後述するステップＳ３０２等の処理に応じて、複合機１０から宛先情報を受信する宛先情報受信部としての機能を有している。
【００４４】
アプリケーション２３は、後述するステップＳ３０２等の処理に応じて、宛先情報受信部で受信した宛先情報に対応する個人情報を個人情報記憶部８２から取得する個人情報取得部８１としての機能を有している。
【００４５】
携帯通信部２９は、後述するステップＳ３０６等の処理に応じて、個人情報取得部８１で取得された個人情報に基づく携帯通信を行う機能を有している。
【００４６】
アプリケーション２３は、後述するステップＳ３１３等の処理に応じて、携帯通信が行われた後に、原稿画像の送信指示を複合機１０に送信する送信指示部８４としての機能を有している。送信指示部８４は、後述するステップＳ４０４〜Ｓ４０６等の処理に応じて、再通信（リダイヤル）が実行された後に、原稿画像の送信指示を複合機１０に送信する機能を有している。
【００４７】
操作パネル２５は、後述するステップＳ４０１等の処理に応じて、携帯通信部２９で携帯通信した後、図１６に示したように再通信（リダイヤル）を行うか否かをユーザに選択させる選択入力部８３としての機能を有している。
【００４８】
アプリケーション２３は、後述するステップＳ４０２，４０３等の処理に応じて、再通信を行うことが選択された場合に、携帯通信部２９に再通信を実行させる再通信指示部８５としての機能を有している。
【００４９】
［１．２  動作］
（複合機１０の動作）
図４、図５、および図６は、本実施の形態における複合機１０の処理フローの一例を表している。
【００５０】
まず、図４の処理フローについて述べる。本実施の形態における複合機１０の処理フローは、ユーザが目的とする相手にファクシミリ送信しようとするところから開始する。ユーザがファクシミリ送信を行うために、複合機１０では操作パネル１５に表示される待機画面からＳｃａｎＴｏＦａｘ実行画面へ遷移し（ステップＳ１０１）、ＳｃａｎＴｏＦａｘを実行するための設定（解像度や通信速度など）が入力される（ステップＳ１０２）。そしてファクシミリ送信先である相手先装置の「宛先情報」（ＦＡＸ番号）が入力されると（ステップＳ１０３）、複合機１０はＮＦＣ通信部１８よりＮＦＣ通信を開始し、モバイル端末２０と接続されたか否かを判断する（ステップＳ１０４）。
【００５１】
ユーザが図１０のように複合機１０のＮＦＣ通信部１８へモバイル端末２０をかざし、ＮＦＣ通信で複合機１０とモバイル端末２０が接続された場合（ステップＳ１０４；Ｙ）、複合機１０からモバイル端末２０へとステップＳ１０３で入力された相手先装置の「宛先情報」が送信される（ステップＳ１０５）。このとき、「宛先情報」を受信したモバイル端末２０は、ＮＦＣ通信で複合機１０へモバイル端末２０を識別するための「端末情報」（例えばＭＡＣアドレス）を送信する。複合機１０は、モバイル端末２０から前述の「端末情報」を問題なく受信した場合（ステップＳ１０６；Ｙ）には、図１１のようにモバイル手動送信の画面に切り替えた上で（ステップＳ１０７）、次の図５のフローへと遷移する。このとき、既に複合機１０に原稿がセットされている場合は、そのままスキャンを実施してもよい。この場合、ユーザが目的とする相手との通話中に先行的にスキャンを実施することができる。また、ＮＦＣ通信で複合機１０とモバイル端末２０が接続できなかった場合（ステップＳ１０４；Ｎ）、またはモバイル端末２０から前述の「端末情報」を何らかの理由で受信することができなかった場合（ステップＳ１０６；Ｎ）には、通常のＳｃａｎＴｏＦａｘの実行フローのまま複合機１０における処理は終了する（ステップＳ１０８）。
【００５２】
図５は、ユーザがモバイル端末２０で目的とする相手との通話を終了した後の複合機１０の処理フローである。以降は、先行的にスキャンを実施していなかった場合を想定して説明する。
【００５３】
複合機１０は、ユーザの操作を監視する（ステップＳ１１１）。ユーザは、目的とする相手との通話終了後、そのまま相手先装置へのファクシミリ送信を実行するか否かを選択することができる。そのまま相手先装置へのファクシミリ送信を実行する場合は、次の２つの方法でＳｃａｎＴｏＦａｘを実行することができる。１つは複合機１０のＳｔａｒｔボタンを押下する方法である。もう１つは複合機１０に通話終了後画面を表示したモバイル端末２０をかざす方法である。後者の場合は、ＮＦＣ通信でモバイル端末２０から「ファクシミリ送信コマンド」を受信する（ステップＳ１１２）ことをトリガーとして、ＳｃａｎＴｏＦａｘを実行する（ステップＳ１１３）。
【００５４】
一方で、そのまま相手先装置へのファクシミリ送信を実行しない場合は、ユーザは複合機１０に送信保留画面のモバイル端末２０をかざすことで、現在の設定でのファクシミリ送信を保留して複合機１０に蓄積しておくことができる。このとき、複合機１０はＮＦＣ通信でモバイル端末２０から個人を特定するための「個人情報」を受信する（ステップＳ１１４）。この「個人情報」は、「宛先情報」に対応する個人の名前等であり、目的とする相手を一意に特定することができる情報であればよい。次に、複合機１０は原稿がセットされているか否かを判断する（ステップＳ１１５）。複合機１０は、既に原稿がセットされていると判断した場合（ステップＳ１１５；Ｙ）には、ステップＳ１１４で「個人情報」を受信したことをトリガーに、スキャンを実施する（ステップＳ１１６）。また、複合機１０は、原稿がセットされていないと判断した場合（ステップＳ１１５；Ｎ）には、次に、すでに原稿のスキャンが完了しているか否かを判断する（ステップＳ１１５Ａ）。
まだ原稿のスキャンが完了していないと判断した場合（ステップＳ１１５Ａ；Ｎ）には、複合機１０は、ユーザに原稿をセットすることを促す画面を表示する（ステップＳ１１７）。複合機１０は、原稿がセットされたらスキャンを実施する（ステップＳ１１８）。複合機１０には、ステップＳ１１５Ａにおいてすでにスキャン済みの原稿画像、または、ステップＳ１１６，ステップＳ１１８でスキャンされた原稿画像と、「宛先情報」、「端末情報」、および「個人情報」とを紐付けた情報が保存されることとなる（ステップＳ１１９）。なお、この複合機１０に保存された情報は、一定時間経過後（例えば、２時時間経過後）自動的に破棄されるものとする。
【００５５】
図６は、図５で相手先装置へのファクシミリ送信を一旦保留した後の複合機１０の処理フローである。
【００５６】
このとき、ユーザは既に複合機１０から離れた位置にいることを想定している。複合機１０から離れた位置にいるユーザは、ネットワーク通信でモバイル端末２０から複合機１０へ「端末情報」、「個人情報」、指示コマンドを送信することができる。複合機１０は、ネットワーク通信でモバイル端末２０から「端末情報」、「個人情報」、および指示コマンドを受信する（ステップＳ２０１）。このとき、受信した指示コマンドが「ファクシミリ送信コマンド」だった場合は、複合機１０は図５のステップＳ１１９で保存された情報と照合し、該当する原稿画像を相手先装置へファクシミリ送信する（ステップＳ２０２）。ファクシミリ送信完了後は該当する原稿画像とそれに紐付く情報を破棄し（ステップＳ２０３）、ネットワーク通信でモバイル端末２０にファクシミリ送信完了通知を送る（ステップＳ２０４）。また、受信した指示コマンドが「原稿破棄コマンド」だった場合は、複合機１０は図５のステップＳ１１９で保存された情報と照合し、該当する原稿画像を破棄する（ステップＳ２０５）。そして、ネットワーク通信でモバイル端末２０に原稿破棄完了通知を送る（ステップＳ２０６）。
【００５７】
（モバイル端末２０の動作）
図７、図８および図９は、本実施の形態におけるモバイル端末２０の処理フローの一例を表している。
【００５８】
まず、図７の処理フローについて述べる。本実施の形態におけるモバイル端末２０の処理フローは、図４のステップＳ１０４でユーザが図１０のように複合機１０のＮＦＣ通信部１８へモバイル端末２０をかざすところから開始する。モバイル端末２０は、ユーザによって複合機１０へかざされると、ＮＦＣ通信で複合機１０と接続する（ステップＳ３０１）。すると、複合機１０から相手先装置の「宛先情報」（ＦＡＸ番号）が送信されてくるので、それを受信したモバイル端末２０は、ＮＦＣ通信で複合機１０へモバイル端末２０を識別するための「端末情報」を送信する（ステップＳ３０２）。モバイル端末２０は、ＮＦＣ通信のセッション切断をトリガーにアプリケーション２３を起動し（ステップＳ３０３）、ステップＳ２０１で複合機１０から受信した宛先情報に紐付く電話番号がモバイル端末２０の電話帳の中に存在するか否かの検索処理をアプリケーション２３上で行う（ステップＳ３０４）。この後のモバイル端末２０で行う処理は、基本的にアプリケーション２３上で実行されることを前提とする。また、この検索処理の具体的な方法については後述で説明する。検索処理によって、もし該当する電話番号がモバイル端末２０の電話帳の中に存在した場合（ステップＳ３０４；Ｙ）は、図１２のように該当する電話番号のリストを操作パネル２５に表示する（ステップＳ３０５）。ユーザはこの電話番号のリストから電話番号を選択することによって、目的とする相手との通話を開始し（ステップＳ３０６）、図８のフローへと遷移する。モバイル端末２０の電話帳の中に該当する電話番号が存在しなかった場合（ステップＳ３０４；Ｎ）は、該当なしを操作パネル２５に表示し（ステップＳ３０７）、モバイル端末２０における処理は終了する。
【００５９】
図８は、ユーザが目的とする相手との通話を終了した後のモバイル端末２０の処理フローである。
【００６０】
ユーザが目的とする相手との通話を終了した後、モバイル端末２０では図１３のような通話終了後画面を表示し（ステップＳ３１１）、ユーザの操作を監視する（ステップＳ３１２）。このとき、この画面のままユーザによって複合機１０へかざされると、ＮＦＣ通信でモバイル端末２０から複合機１０へ「ファクシミリ送信コマンド」が送信され（ステップＳ３１３）、コマンドを受け付けた複合機１０ではＳｃａｎＴｏＦａｘが実行される。
【００６１】
また、もし目的とする相手が不在であったり、あるいは都合が悪く直ぐにはファクシミリ送信するわけにはいかないときには、ユーザはモバイル端末２０から複合機１０のファクシミリ送信を保留することができる。この場合、ユーザがモバイル端末２０の通話終了後画面に表示されている「送信保留」ボタン６１を押下することによって、モバイル端末２０では図１４のような送信保留画面を表示する（ステップＳ３１４）。モバイル端末２０では、この画面のままユーザによって複合機１０へかざされると（ステップＳ３１５）、ＮＦＣ通信で複合機１０へ「個人情報」を送信する（ステップＳ３１６）。これによって複合機１０では現在の設定でのファクシミリ送信の保留を受け付け、モバイル端末２０では図１５のように予め設定されたｎ分後にリダイヤル通知を行うよう設定される（ステップＳ３１７）。
【００６２】
また、ファクシミリ送信も送信保留も行わない場合には、ユーザは図１３の通話終了後画面で「キャンセル」ボタン６２を押下することができる。この場合、ユーザがモバイル端末２０の通話終了後画面に表示されている「キャンセル」ボタン６２を押下することによって、モバイル端末２０では全ての情報を破棄し（ステップＳ３１８）、処理を終了する。
【００６３】
図９は、図８のステップＳ３１７でリダイヤル通知を設定した後のモバイル端末２０の処理フローである。
【００６４】
図９の処理フローでは、ユーザは既に複合機１０から離れた位置にいることを想定している。モバイル端末２０ではｎ分経過後、図１６のようにリダイヤル通知画面を表示（ステップＳ４０１）し、ユーザの操作を監視する（ステップＳ４０２）。リダイヤル通知画面ではユーザはリダイヤルを実行するか否かを選択できる。
【００６５】
リダイヤル通知画面において、ユーザによって「リダイヤル」ボタン６３が押下された場合は、モバイル端末２０は、ユーザが目的とする相手へのリダイヤルを実行する（ステップＳ４０３）。リダイヤルにおける通話が終了した後は、モバイル端末２０では図１７のようなリダイヤル終了画面を表示し（ステップＳ４０４）、ユーザの操作を監視する（ステップＳ４０５）。
【００６６】
リダイヤル終了画面において、ユーザによって「ファクシミリ送信」ボタン６５が押下された場合は、モバイル端末２０はネットワーク通信で複合機１０へ「端末情報」と「個人情報」と「ファクシミリ送信コマンド」とを送信する（ステップＳ４０６）。複合機１０はこれを受信すると、装置の中に保存された情報と照合し、該当する原稿画像を相手先装置へファクシミリ送信する。ファクシミリ送信完了後は、複合機１０は、該当する原稿画像とそれに紐付く情報を破棄し、ネットワーク通信でモバイル端末２０にファクシミリ送信完了通知を送る。モバイル端末２０はこの完了通知を受信して（ステップＳ４０７）、処理を終了する。
【００６７】
また、リダイヤル終了画面において、ユーザによって「原稿破棄」ボタン６６が押下された場合は、モバイル端末２０はネットワーク通信で複合機１０へ「端末情報」と「個人情報」と「原稿破棄コマンド」とを送信する（ステップＳ４０８）。複合機１０はこれを受信すると、装置の中に保存された情報と照合し、該当する原稿画像を破棄する。そして、ネットワーク通信でモバイル端末２０に原稿破棄完了通知を送る。モバイル端末２０はこの完了通知を受信して（ステップＳ４０９）、処理を終了する。
【００６８】
また、次の３つのケースでは、モバイル端末２０にもう一度ｎ分後にリダイヤル通知が表示される。１つ目のケースは、ステップＳ４０９において図１６のリダイヤル通知画面で「後で通知」ボタン６４が押下された場合である。２つ目のケースは、ステップＳ４０５において図１７のリダイヤル終了画面で「後で通知」ボタン６７が押下された場合である。３つ目のケースは、ステップＳ４０９における図１６のリダイヤル通知画面もしくはステップＳ４０５における図１７のリダイヤル終了画面で、ユーザが何のアクションもしないまま一定時間が経過してしまった場合である。なお、図１６のリダイヤル通知画面もしくは図１７のリダイヤル終了画面で、ユーザが意図せずアプリケーション２３を終了してしまった場合も同様である。
【００６９】
（複合機１０とモバイル端末２０とに保存される情報の例）
図１８は、複合機１０に保存されている短縮ダイヤル一覧の例であり、図１９は、モバイル端末２０に保存されている電話帳一覧の例である。
【００７０】
ここで、図７のステップＳ３０２においてモバイル端末２０が複合機１０から受信した相手先装置の「宛先情報」に紐付く電話番号がモバイル端末２０の電話帳の中に存在するか否かの検索処理を行うときの具体的な方法について説明する。
【００７１】
なお、複合機１０には、図１８にある通り短縮ダイヤルに２件が登録されているものとする。また、モバイル端末２０には、図１９にある通り電話帳に４件が登録されているものとする。このとき、モバイル端末３０の電話番号は００１、モバイル端末３１の電話番号は００２、ファクシミリ４０の電話番号は００３、ＦＡＸ番号は１０１、複合機５０のＦＡＸ番号は１０２であるとする。
【００７２】
具体例として次の２つのケースで説明する。１つ目のケースは、図４のステップＳ１０３でユーザが複合機１０に入力した相手先装置の「宛先情報」が『１０１』であった場合である。このケースでは、図７のステップＳ３０４では「宛先情報」に紐付く電話番号がモバイル端末２０の電話帳にあるとして、ステップＳ３０５ではＮｏ．１の個人Ａの電話番号００１と、Ｎｏ．３の部署Ａの電話番号００３が表示される。ユーザは、特定の個人である個人Ａにファクシミリの内容を受け取って欲しい場合には、電話番号００１のモバイル端末３０に電話をかける。あるいは、ファクシミリの内容を受け取る相手は部署Ａの人なら誰でもよいという場合には、電話番号００３のファクシミリ４０に電話をかける。
【００７３】
２つ目のケースは、図４のステップＳ１０３でユーザが複合機１０に入力した相手先装置の「宛先情報」が『１０２』であった場合である。このケースでは、図７のステップＳ３０４では宛先情報に紐付く電話番号がモバイル端末２０の電話帳にあるとして、ステップＳ３０５ではＮｏ．２の個人Ｂの電話番号００２が表示される。実際には、『１０２』という宛先情報に紐付いているのはＮｏ．４の部署Ｂのみであるが、Ｎｏ．２の個人Ｂは所属が部署Ｂであるので、関連付けられて表示されるという仕組みである。したがって、複合機５０は電話機付きではないが、ユーザは特定の個人である個人Ｂに事前に電話をかけて確認を取ることができるので、誤送信を防止した上でファクシミリ送信を実行することができる。
【００７４】
図２０は、図５のステップＳ１１９で複合機１０に保存される情報の例であり、図２１は、図８のステップＳ３１７で、モバイル端末２０のリダイヤル通知を設定する際に保存される情報の例である。
【００７５】
ここで、図６のステップＳ２０１において複合機１０が「端末情報」と「個人情報」と指示コマンドを受信して処理を行うときの具体的な方法について説明する。なお、複合機１０には、図２０にある通り５つの原稿画像とそれに紐付く「宛先情報」、「端末情報」、「個人情報」の情報がそれぞれ保存されているものとする。モバイル端末２０には、図２１にある通り３件の電話番号とそれに紐付く「個人情報」、「前回電話をかけた時刻」の情報がそれぞれ保存されているものとする。なお、図２０には、「端末情報」の例として、モバイル端末２０と、図示しない他のモバイル端末２１とが含まれている。
【００７６】
具体例として次の２つのケースで説明する。１つ目のケースは、図９のステップＳ４０３でユーザがモバイル端末２０からリダイヤルした相手が個人Ａだった場合である。このとき、ユーザは個人Ａに対してファクシミリ送信を実行したいとすると、図９のステップＳ４０６でモバイル端末２０から複合機１０へ送信される情報は、『モバイル端末２０』、『個人Ａ』、『ファクシミリ送信コマンド』の３つとなる。図６のステップＳ２０１でこれらの３つの情報を受信した複合機１０は、図５のステップＳ１１９で保存された情報（図２０）と照合し、該当する原稿画像、つまり図２０におけるＮｏ．１とＮｏ．４の２つの原稿画像を宛先１０１へファクシミリ送信する。
【００７７】
２つ目のケースは、図９のステップＳ４０３でユーザがモバイル端末２０からリダイヤルした相手が個人Ｂだった場合である。このとき、ユーザは個人Ｂに対してファクシミリ送信を実行したいとすると、図９のステップＳ４０６でモバイル端末２０から複合機１０へ送信される情報は、『モバイル端末２０』、『個人Ｂ』、『ファクシミリ送信コマンド』の３つとなる。図６のステップＳ２０１でこれらの３つの情報を受信した複合機１０は、図５のステップＳ１１９で保存された情報（図２０）と照合し、該当する原稿画像、つまり図２０におけるＮｏ．２の原稿画像を宛先１０２へファクシミリ送信する。
【００７８】
つまり、複合機１０は受信した「端末情報」と「個人情報」の両方が一致する情報がデータ記憶部１７の中に存在した場合のみ、指示コマンドの処理を実行する。しかし、もし受信した「端末情報」と「個人情報」の両方が一致する情報がデータ記憶部１７の中に存在しなかった場合は、複合機１０からモバイル端末２０へエラー情報を送信するなどしてもよい。
【００７９】
［１．３  効果］
以上のように、本実施の形態によれば、携帯端末（モバイル端末２０）から原稿画像の送信指示（ファクシミリ送信コマンド）と携帯端末の端末情報とを含む送信情報を受信し、端末情報に対応する原稿または原稿画像を決定し、決定に基づいて原稿画像を送信するようにしたので、所望の原稿画像を着実に送信することができる。
【００８０】
特に、本実施の形態によれば、次の３つの効果が得られる。
１つ目は、ファクシミリ送信したい相手先装置の電話機の接続の有無に関わらず、特定の個人を指定して電話をかけることができるので、ファクシミリの誤送信を防止し目的とする相手に着実にファクシミリ送信を行うことができるという効果である。
【００８１】
２つ目は、複合機１０に入力された相手先装置の宛先情報に紐付く電話番号の検索には、モバイル端末２０内の電話帳を利用するので、その検索結果には各個人のモバイル端末２０に登録されている内容に依存しており、複合機１０に電話番号という個人情報を入力する必要も、予め記憶させておく必要もないという効果である。
【００８２】
３つ目は、モバイル端末２０内のアプリケーションは、リダイヤル通知機能と、複合機１０に蓄積されているファクシミリ原稿画像の送信機能を持つので、ユーザが複合機１０から相手先装置にファクシミリ送信しようとしたときに、目的とする相手が不在であったり、あるいは都合が悪く直ぐにはファクシミリ送信するわけにはいかないときでも、後々目的とする相手の都合がよいときを確認した上でファクシミリ送信を行うことできるという効果である。
【００８３】
＜２．他の実施の形態＞
本発明による技術は、上記実施の形態の説明に限定されず種々の変形実施が可能である。
【００８４】
上記第１の実施の形態において、複合機１０とモバイル端末２０との間でＮＦＣ通信を行う例を示したが、これに限らず無線ＬＡＮ通信などの別の通信手段を用いてもよい。この場合、通信手段によっては、モバイル端末２０を複合機１０にかざすという動作は不要となる。
【００８５】
上記第１の実施の形態におけるモバイル端末２０上のアプリケーション２３に、ファクシミリ送信や原稿破棄の指示コマンドを送信する機能を設けてもよい。これによって、ユーザはリダイヤル通話終了後以外の場面でも、自由にモバイル端末２０上のアプリケーションから複合機１０へファクシミリ送信や原稿破棄の指示コマンドを送信することができるようになる。
【００８６】
上記第１の実施の形態における図１７のリダイヤル終了画面で、ユーザが「ファクシミリ送信」ボタン６５や、「原稿破棄」ボタン６６を押下した際には、複合機１０の中に蓄積されている該当原稿画像のリストをネットワーク通信でモバイル端末２０に送信し、モバイル端末２０のアプリケーション上に表示してもよい。この場合、ユーザは目的とする相手に送信したい原稿画像を、モバイル端末２０から選択することが可能となる。例えば、あるユーザが目的とする相手にモバイル手動送信しようとした原稿画像が複合機１０の中に複数ジョブ蓄積されており、そのうちのいくつかは後々送信不要であることが判明した場合が考えられる。このとき、上記第１の実施の形態では、全ての該当原稿画像を送信するか、あるいは全ての該当原稿画像を破棄することしかできない。
【００８７】
また、複合機１０でスキャンした後の原稿画像のデータを、複合機１０とは異なる装置に保存してもよい。例えば、複合機１０にネットワーク接続されたサーバ等に保存してもよい。
【００８８】
また、図２０を用いて説明した例では、複合機１０は受信した「端末情報」と「個人情報」の両方が一致する情報がデータ記憶部１７の中に存在した場合のみ、指示コマンドの処理を実行するようにしたが、少なくとも「端末情報」が一致する場合に処理を実行するようにしてもよい。
【００８９】
上記第１の実施の形態では、「端末情報」（例えばＭＡＣアドレス）として説明したが、「端末情報」に代えてモバイル端末２０に登録されたモバイル端末２０の「ユーザ情報」（名前等）を用いてもよい。
【００９０】
また、複合機１０が原稿をスキャンし、原稿画像を画像記憶部７２に保存するときに、複合機１０が独自の管理番号を生成し、その管理番号と原稿画像とを対応付けておいてもよい。複合機１０は、その管理番号を、モバイル端末２０に通知し、モバイル端末２０は、原稿画像の送信指示を行う際に、その管理番号を複合機１０に送信する。複合機１０は、モバイル端末２０から原稿画像の送信指示と管理番号とを含む送信情報を受信した場合に、管理番号に対応付けされた原稿画像をファクシミリ送信する。
【符号の説明】
【００９１】
１０…複合機（画像通信装置）、１１…スキャナ部、１２…印刷部、１３…ファクシミリ通信部、１４…ネットワーク通信部、１５…操作パネル、１６…制御部、１７…データ記憶部、１８…ＮＦＣ通信部、２０…モバイル端末（携帯端末）、２１…マイク、２２…スピーカー、２３…アプリケーション、２４…ネットワーク通信部、２５…操作パネル、２６…制御部、２７…データ記憶部、２８…ＮＦＣ通信部、２９…携帯通信部、３０…モバイル端末、３１…モバイル端末、４０…ファクシミリ、５０…複合機、６１…「送信保留」ボタン、６２…「キャンセル」ボタン、６３…「リダイヤル」ボタン、６４…「後で通知」ボタン、６５…「ファクシミリ送信」ボタン、６６…「原稿破棄」ボタン、６７…「後で通知」ボタン、７１…原稿決定部、７２…画像記憶部、７３…宛先入力部、８１…個人情報取得部、８２…個人情報記憶部、８３…選択入力部、８４…送信指示部、８５…再通信指示部、９０…通信回線。
【図１】
2018107685.tif 000003
【図２】
2018107685.tif 000004
【図３】
2018107685.tif 000005
【図４】
2018107685.tif 000006
【図５】
2018107685.tif 000007
【図６】
2018107685.tif 000008
【図７】
2018107685.tif 000009
【図８】
2018107685.tif 000010
【図９】
2018107685.tif 000011
【図１０】
2018107685.tif 000012
【図１１】
2018107685.tif 000013
【図１２】
2018107685.tif 000014
【図１３】
2018107685.tif 000015
【図１４】
2018107685.tif 000016
【図１５】
2018107685.tif 000017
【図１６】
2018107685.tif 000018
【図１７】
2018107685.tif 000019
【図１８】
2018107685.tif 000020
【図１９】
2018107685.tif 000021
【図２０】
2018107685.tif 000022
【図２１】
2018107685.tif 000023